(57)【特許請求の範囲】
【請求項１】
紙を主材料とする紙製簡易容器において、
前記紙製簡易容器の胴の部分が２枚の紙の積層紙から構成されるとともに、前記２枚の紙の内の少なくとも一方の紙の表面であって他方の紙との接合面に所定の波長域の光線を遮断するインキ膜を形成し、
しかも前記胴の部分を構成する積層紙の前記２枚の紙の内の少なくとも一方の紙の表面に形成されているインキ膜は内容物と接触する側端側の端面の近傍の領域において欠如されており、インキ膜が紙の端面において容器の内部に露出しないようになされ、かつ前記インキ膜は上端側の領域においては欠如されておらず、この容器の上部開口の周縁部が外側に巻込まれて上端側のインキ膜が容器の内部に露出しないようにしたことを特徴とする紙製簡易容器。
【請求項２】
前記インキ膜は中に充填される内容物を変質させる波長域の光線を遮断することを特徴とする請求項１に記載の紙製簡易容器。
【請求項３】
前記インキ膜が黒色インキから構成され、紫外領域から赤外領域までの全波長の光をほぼ遮断することを特徴とする請求項１に記載の紙製簡易容器。
【請求項４】
前記インキ膜を構成する黒色インキがカーボンブラックを含有することを特徴とする請求項３に記載の紙製簡易容器。
【請求項５】
容器の外表面の印刷と前記接合面のインキ膜とを対応させて前記接合面のインキ膜が紙の端面において容器の内部に露出しないようにしたことを特徴とする請求項１に記載の紙製簡易容器。
【請求項６】
全体の形状がほぼカップ状に構成されるとともに、胴の部分を構成する扇形の原紙と底部を構成する円形の原紙とがともに２枚の紙の積層紙から構成され、接合面において一方の紙の表面に前記インキ膜が形成されていることを特徴とする請求項１に記載の紙製簡易容器。
【発明の詳細な説明】
【０００１】
【発明の属する技術分野】
本発明は紙製簡易容器に係り、とくに紙を主材料とする紙製簡易容器に関する。
【０００２】
【従来の技術】
各種の食品や飲料を充填して供給するために、使捨て式の紙製の簡易容器が広く用いられている。この種の簡易容器は例えば扇形の原紙を巻いて円錐台状に構成するとともに、底部開口を円形の底板によって閉塞するようにした構造をなしており、内部に各種の食品や飲料を充填するとともに、上部開口を蓋材によってシールするか、蓋を装着することによって、物流に供されるようになっている。
【０００３】
このような紙製簡易容器は比較的低コストで供給することができる。また使用後においては、焼却処理が可能であって、合成樹脂製容器のような廃棄物公害を発生し難いことから、広範囲の用途に広く用いられている。
【０００４】
【発明が解決しようとする課題】
このような紙製簡易容器によって、例えば抹茶を混入したアイスクリームを充填して供給すると、光が紙製簡易容器の胴の部分を透過してアイスクリーム中の抹茶を変質させる。アイスクリームに混入されている抹茶に光が照射されると、茶色に変色し、香が飛ぶとともに風味が劣化する。
【０００５】
図９は従来から用いられている通常の紙製容器の光線の透過特性を示している。この特性から明らかなように、通常の紙製簡易容器はほぼ４００ｎｍ以上の波長の光線をほぼ透過することが確認されている。
【０００６】
抹茶を混入したアイスクリームのように、光線が照射された場合に内容物の品質が劣化する場合には、アルミニウム箔を積層した簡易容器を用いるようにしている。図１０に示すように、アルミニウム箔を積層した紙製簡易容器は紫外領域から赤外領域までのほぼ全波長域の光線を完全に遮断することができる。従ってアルミニウム箔をラミネートした紙によって製造された紙製簡易容器によれば、光による内容物の劣化が防止できる。
【０００７】
一方で通常の食品の充填の際には、充填包装を終った後に内容物中に金属の異物が混入していないかどうかを調べるために、金属探知器を使用している。ところがアルミニウム箔をラミネートした紙製簡易容器を用いて食品を包装した場合には、上述のような金属探知器を用いた金属製の異物のチェックができなくなるという不都合がある。またアルミニウム箔をラミネートした紙製簡易容器は焼却処分を行なうことができなくなり、使用後におけるゴミ処理に問題を残すことになる。
【０００８】
本発明はこのような問題点に鑑みてなされたものであって、内容物を劣化させる光線を遮断し、金属探知器による金属の異物のチェックが可能であって、しかも使用後における廃棄処分に問題を生ずることがない紙製簡易容器を提供することを目的とする。
【０００９】
【課題を解決するための手段】
本願発明は、紙を主材料とする紙製簡易容器において、
前記紙製簡易容器の胴の部分が２枚の紙の積層紙から構成されるとともに、前記２枚の紙の内の少なくとも一方の紙の表面であって他方の紙との接合面に所定の波長域の光線を遮断するインキ膜を形成し、
しかも前記胴の部分を構成する積層紙の前記２枚の紙の内の少なくとも一方の紙の表面に形成されているインキ膜は内容物と接触する側端側の端面の近傍の領域において欠如されており、インキ膜が紙の端面において容器の内部に露出しないようになされ、かつ前記インキ膜は上端側の領域においては欠如されておらず、この容器の上部開口の周縁部が外側に巻込まれて上端側のインキ膜が容器の内部に露出しないようにしたことを特徴とする紙製簡易容器に関するものである。
【００１０】
前記インキ膜は中に充填される内容物を変質させる波長域の光線を遮断するようにしてよい。さらに前記インキ膜が黒色インキから構成され、紫外領域から赤外領域までの全波長の光をほぼ遮断するものであってよい。また前記インキ膜を構成する黒色インキがカーボンブラックを含有するものであってよい。
【００１１】
容器の外表面の印刷と前記接合面のインキ膜とを対応させて前記接合面のインキ膜が紙の端面において容器の内部に露出しないようにしてよい。
【００１２】
全体の形状がほぼカップ状に構成されるとともに、胴の部分を構成する扇形の原紙と底部を構成する円形の原紙とがともに２枚の紙の積層紙から構成され、接合面において一方の紙の表面に前記インキ膜が形成されていてよい。
【００１３】
【発明の実施の形態】
図１および図２は本発明の一実施の形態に係る紙製簡易容器を示すものである。この紙製簡易容器は例えばアイスクリームを充填して供給するための紙製簡易容器であってよい。
【００１４】
このような紙製簡易容器はほぼカップ状に構成され、胴１０の部分が円錐台状の形状をなしている。そして胴１０の上端が上部開口１１になっており、上部開口１１の周縁部を外側に巻込んでカール部１２を形成するようにしている。
【００１５】
これに対してこのような紙製簡易容器はその底部開口が底板１６によって閉塞されるようになっている。底板１６の外周側の部分は下方へ折曲げられて周璧部１７を構成しており、この周璧部１７を胴１０の下端側の部分と、胴１０の下端側の部分を折返した折返し部分１８とによって挟着するようにしており、これによって胴１０の下端側に底板１６を結合し、下部開口を底板１６によって閉塞するようにしている。
【００１６】
図３はこのような容器のとくに胴１０の部分を形成するための扇形の板紙原紙を展開して示したものである。また図４は上記扇形の原紙２２あるいは底板１６を構成する原紙の断面を示したものである。すなわちこの原紙は外側の紙２１と内側の紙２２の２層構造をなしており、２枚の紙を積層して成る原紙によって紙製簡易容器が組立てられるようになっている。
【００１７】
外側の紙２１の外表面側にはコート層２３が形成されている。コート層２３は酸化チタンを練り込んだカゼインから構成され、外側の紙２１の外表面の印刷性を改善するための層をなしている。これに対して外側の紙２１の内表面には印刷層２４が形成されるようになっている。そしてこのような印刷層２４が内側の表面に形成された外側の紙２１は、接着層２５を介して内側の紙２２と接合されている。そして内側の紙２２の内表面側であって内容物と接触する側にはポリエチレンフィルムから成るラミネートフィルム２６が接合されるようになっている。
【００１８】
とくに本実施の形態において特徴を有するのは、外側の紙２１の接合面側の表面に形成されている印刷層２４である。この印刷層２４はこの容器を通して内部に光線が透過するのを防止することを目的としている。
【００１９】
図５は印刷層２４として、赤インキを塗布したときの原紙の光線の透過特性を示すものである。この特性を図９に示すインキ層を備えない容器の透過特性と比較すれば明らかなように、とくに７００ｎｍ以下の領域の光線が遮断されることが示される。図６は藍インキから成る印刷層２４を形成したときの原紙の光線の透過特性を示している。この特性によれば、４７０ｎｍ付近に小さなピークが現われるものの、７５０ｎｍ以下の波長域の光線がほぼ遮断される。また図７は緑インキによって印刷層２４を形成した場合の原紙の光の透過特性を示している。ここでは５２０ｎｍ付近に小さなピークが現われるものの、８００ｎｍ以下のほとんどの光線を遮断することが可能になる。
【００２０】
図８は印刷層２４としてカーボンブラックを混入した黒インキを用いた場合の光線の透過特性を示している。この特性から明らかなように、紫外領域から赤外領域までの全波長の光をほぼ遮断することができることが明確に示されている。すなわちこの特性は図１０に示すアルミニウム箔と紙との接合構造の容器の光線の透過特性とほぼ同一の特性になる。
【００２１】
このことから、カーボンブラックを混入した黒インキを用いた印刷層２４を外側の紙２１の接合面側の表面に形成することによって、アルミニウム箔をラミネートした容器とほぼ同様の光学的性質を有する容器を提供することが可能になる。従ってとくに光線の透過によって内容物が変質し易い食品や飲料を充填する場合には、カーボンブラックを混入した黒インキの印刷層２４を形成することが好ましい。
【００２２】
またこのような印刷層２４は図３に示すように、扇形の原紙の側端側であって内容物に接触する側端側の部分においては欠如されるようになっている。このように内容物に接する側の端面３０の近傍において印刷層２４を欠如させるようにしているために、図１に示すように、端面３０が内容物に接触しても、この部分の近傍に印刷層２４が存在しないために、印刷層２４を構成するインキが内容物に接触したり溶出したりすることが防止されるようになる。なお端面３０の近傍における印刷層２４の欠如は、この部分において原紙が二重に巻かれるために、外側の部分の原紙の印刷層２４によって遮光性を保持することができ、容器全体の遮断性能を損うことがない。
【００２３】
このように本実施の形態の紙製簡易容器は、一般のコップを構成する原紙に対して、インキ膜から成る印刷層２４を光フィルタとし、特定の波長域の光を遮断させるようにしたものである。例えばアイスクリームに混入される抹茶のように、紫外線から赤外線までの全領域を遮断する必要がある場合については、図８に示すような特性を有するカーボンブラックを混入した黒インキを使用するようにしている。
【００２４】
さらにこのような印刷層は、印刷した色が容器の表面に露出せず、印刷層２４を形成していない紙製簡易容器と同様の外観を呈するように、２枚の紙２１、２２の接合構造とするとともに、一方の紙２１の接合面側の表面に印刷層２４を形成するようにし、これによって印刷層２４が２枚の紙２１、２２の中間層になるようにしている（図４参照）。
【００２５】
さらにこのような印刷層２４を、内容物に露出する端面３０の近傍において図３に示すように欠如させることによって、印刷層２４が内部に露出することを防止するようにしている。
【００２６】
なおここで端面３０側において印刷層２４を露出させないようにするために、外側の紙２１の外表面の印刷と印刷層２４の印刷とを対応させるようにしてもよい。外側の紙２１の外表面の印刷は、端面３０の近傍において二重になるために、この部分の印刷を欠如させるのが通常である。従ってこのような外側の印刷の欠如に対応して、内側の印刷層２４についてもその印刷を欠如させることによって、端面３０の近傍の印刷層２４の容器内部への露出が防止されることになる。これによって印刷層２４が内容物を汚損することがなくなる。
【００２７】
特定の波長域の光を遮断したい場合には、そのような波長域の光が遮断されるような色のインキを用いればよく、例えば図５に示す赤インキや図６に示す藍インキや、あるいはまた図７に示す緑インキ等が任意に選択されてよい。このようなインキはその色調以外の領域の光と短波長域の光とをともに遮断することになる。
【００２８】
これに対して短波長から長波長までの全域を遮断する必要がある場合には、図８に示すような特性を有するカーボンブラック混入の黒インキを印刷すればよい。このような印刷層２４は外側の紙２１の内表面側あるいは内側の紙２２の外表面側であって内外の紙２１、２２の接合面側の表面に形成することによって、外観上通常の紙と変らない容器を提供できるようになる。
【００２９】
このような紙製簡易容器は、紙にアルミニウム箔を積層したものではないために、金属探知器の使用を妨げない。通常の食品の充填工程においては、充填の完了の後に、金属探知器を用いて内容物中に金属製の異物が混入しているかどうかの検査を行なう。このような検査は、印刷層２４を形成した本実施の形態に係る紙製簡易容器において適用することができ、金属製の異物が混入した食品を検出してはじき出すことが可能になる。
【００３０】
またこのような紙製簡易容器は、アルミニウム箔を接合して遮光性を得るようにしたものではなく、印刷層２４を形成しただけであるから、焼却処分を行なう際に不都合を生じない。またこのような紙は、外側の紙２１の内表面に印刷層２４を形成したものであるから、通常の印刷紙と同様の再生を行なうことによって再利用が可能になり、リサイクルできるようになる。
【００３１】
本実施の形態に係る紙製簡易容器によれば、光によって変色し易い色素や高脂肪分を使用したヨーグルト、アイスクリーム等の食品の変色および風味劣化を抑えることが可能になる。
【００３２】
【発明の効果】
以上のように本発明は、紙製簡易容器の胴の部分が２枚の紙の積層紙から構成されるとともに、２枚の紙の内の少なくとも一方の紙の表面であって他方の紙との接合面に所定の波長域の光線を遮断するインキ膜を形成し、しかも胴の部分を構成する積層紙の２枚の紙の内の少なくとも一方の紙の表面に形成されているインキ膜は内容物と接触する側端側の端面の近傍の領域において欠如されており、インキ膜が紙の端面において容器の内部に露出しないようになされ、かつインキ膜は上端側の領域においては欠如されておらず、この容器の上部開口の周縁部が外側に巻込まれて上端側のインキ膜が容器の内部に露出しないようにしたものである。
【００３３】
従って本発明によれば、インキ膜によって所定の波長域の光線を遮断することが可能になり、このような光の遮断によって内容物の変質や劣化が防止されることになる。
【００３４】
インキ膜は中に充填される内容物を変質させる波長域の光線を遮断するようにした構成によれば、光線による内容物の変質が効果的かつ確実に防止される。
【００３５】
インキ膜が黒色インキから構成され、紫外領域から赤外領域までの全波長の光をほぼ遮断するようにした構成によれば、上記の波長域の光線を確実に遮断することが可能になる。
【００３６】
インキ膜を構成する黒色インキがカーボンブラックを含有するようにした構成によれば、カーボンブラックを含有する黒色インキによってほぼ全波長域の光線を遮断することが可能になる。
【００３８】
容器の外表面の印刷と接合面のインキ膜とを対応させて接合面のインキ膜が紙の端面において容器の内部に露出しないようにした構成によれば、接合面側のインキ膜の欠如の制御が容易に行なわれることになる。
【００３９】
全体の形状がほぼカップ状に構成されるとともに、胴の部分を構成する扇形の原紙と底部を構成する円形の原紙とがともに２枚の紙の積層紙から構成され、接合面において一方の紙の表面にインキ膜が形成されるようにした構成によれば、所定の波長域あるいは全波長域の光を遮断することが可能なカップ状の簡易容器を提供することが可能になる。
【図面の簡単な説明】
【図１】紙製簡易容器の外観斜視図である。
【図２】同要部縦断面図である。
【図３】紙製簡易容器の原紙の展開平面図である。
【図４】紙製簡易容器を構成する原紙の拡大断面図である。
【図５】赤インキから成る印刷層を有する紙製簡易容器の光線透過性を示すグラフである。
【図６】藍インキから成る印刷層を有する紙製簡易容器の光線透過性を示すグラフである。
【図７】緑インキから成る印刷層を有する紙製簡易容器の光線透過性を示すグラフである。
【図８】カーボンブラックを混入した黒インキから成る印刷層を有する紙製簡易容器の光線透過性を示すグラフである。
【図９】印刷層を有しない従来の紙製簡易容器の光線透過性を示すグラフである。
【図１０】アルミニウム箔をラミネートした紙製簡易容器の光線透過性を示すグラフである。
【符号の説明】
１０  胴
１１  上部開口
１２  カール部
１６  底板
１７  周璧部
１８  折返し部分
２１  外側の紙
２２  内側の紙
２３  コート層
２４  印刷層
２５  接着層
２６  ラミネートフィルム（ポリエチレン）
３０  端面
【図１】
0003841234.tif 000002
【図２】
0003841234.tif 000003
【図３】
0003841234.tif 000004
【図４】
0003841234.tif 000005
【図５】
0003841234.tif 000006
【図６】
0003841234.tif 000007
【図７】
0003841234.tif 000008
【図８】
0003841234.tif 000009
【図９】
0003841234.tif 000010
【図１０】
0003841234.tif 000011